(57)【要約】【課題】簡単な構造で、紙幣の引き抜きを防止するようにした紙幣処理装置を提供する。【解決手段】紙幣搬送シュート８からなる紙幣搬送通路５に折れ曲り部１３が形成された紙幣処理装置１において、この折れ曲り部１３にスリット３０を形成するようにした。【選択図】　図１
2004070647.tif 000002
【特許請求の範囲】
【請求項１】
紙幣搬送シュートからなる紙幣搬送通路に折れ曲り部が形成された紙幣処理装置において、
前記折れ曲り部にスリットを形成するようにしたことを特徴とする紙幣処理装置。
【請求項２】
前記紙幣搬送シュートからなる紙幣処理装置はさらに光りセンサーを有し、前記スリットは該光りセンサーを避けた位置に形成されていることを特徴とする請求項１に記載の紙幣処理装置。
【請求項３】
前記紙幣搬送シュートからなる紙幣処理装置はさらに光りセンサーを有し、前記スリットは該光りセンサーと同一ライン上に形成されていることを特徴とする請求項１に記載の紙幣処理装置。
【請求項４】
前記スリットは前記紙幣搬送シュートの幅方向に沿って複数個形成されていることを特徴とする請求項１乃至３に記載の紙幣処理装置。
【請求項５】
前記紙幣搬送シュート内には刃先が前記スリット側へ臨むように刃物部材が配設されていることを特徴とする請求項１乃至３に記載の紙幣処理装置。
【発明の詳細な説明】
【０００１】
【発明の属する技術分野】
この発明は、自動販売機、両替機、遊戯機等の機器内に装着され、投入紙幣の真偽を判別するとともに、真券を収容する紙幣処理装置に関し、特に投入された紙幣を引き抜く悪戯を防止するようにした紙幣処理装置に関する。
【０００２】
【従来の技術】
従来から、上述した各機器に使用される紙幣処理装置においては、投入紙幣が真券と判断された後、その真券を引き抜くという悪戯が発生している。
【０００３】
この紙幣を引き抜く手口としては、投入紙幣の後端にテープ等の紐部材を貼着し、投入紙幣が真券と判断された後、その紐部材を引っ張って紙幣投入口から投入紙幣を引き抜くというものである。
【０００４】
このような、悪戯に対して従来の紙幣処理装置では以下の（１）乃至（３）に示すような各種の紙幣引き抜きに関する防止手段を施している。
【０００５】
（１）紙幣の真偽を判別する識別部の光りセンサーを利用し、テープが通過した後の当該光りセンサーの透過レベルの低下を検出し、これにより投入紙幣にテープが貼着されているか否か判断して、テープを検知した場合は投入紙幣を返却するようにしたもの。
【０００６】
（２）紙幣搬送通路に、テープ検知レバーと該テープ検知レバーが嵌挿するテープ検知孔とを設け、紙幣が通過した後、テープ検知レバーが検知孔内に入り込まないことを該テープ検知孔内の光りセンサーにより検知し、これによりテープの存在を検出して投入紙幣を返却するようにしたもの。
【０００７】
（３）紙幣搬送通路にレバーおよびこのレバーが嵌挿する孔とからなるシャッター手段を設け、投入紙幣が真券と見なされると紙幣搬送通路を閉塞し、これにより投入紙幣を引き抜けないようにしたもの等がある。
【０００８】
【発明が解決しようとする課題】
ところで、上述した従来の紙幣処理装置に装着された紙幣引き抜き防止手段では、以下のような問題点がある。
【０００９】
即ち、（１）に関しては、投入紙幣の後端に貼着されたテープが、識別部の光りセンサーを通過しない場合、即ちテープが光りセンサーを避けた位置の紙幣に貼着された場合はテープの有無を検出することができない。
【００１０】
また（２）に関しては、同様に投入紙幣の後端に貼着されたテープがテープ検知レバーを通過しない場合、即ちテープがテープ検知レバーを避けた位置の紙幣に貼着された場合はテープの有無を検出することができない。また、コシが柔らかいテープの場合は、当該テープが検知レバーの下に潜り込み、この場合もテープの有無を検出することができない場合がある。
【００１１】
さらに、（３）のシャッター機構の場合は、構造そのものが複雑で部品点数も多く、また大きなスペースも必要で、このため紙幣処理装置が高価となる難点がある。なお、レバーを使用した紙幣引き抜き防止手段でも同様の難点がある。
【００１２】
この発明は、上述した事情に鑑み、簡単な構造で、紙幣の引き抜きを防止するようにした紙幣処理装置を提供することを目的とする。
【００１３】
【課題を解決するための手段】
上述した課題を解決するため、この発明では、紙幣搬送シュートからなる紙幣搬送通路に折れ曲り部が形成された紙幣処理装置において、前記折れ曲り部にスリットを形成するようにしている。
【００１４】
【発明の実施の形態】
以下、この発明に係わる紙幣処理装置の一実施例を詳述する。
【００１５】
図１はこの発明に係わる紙幣処理装置１を示す概念斜視図で、特に装置本体２の背面に配設される真券収容用のスタッカを取り除き、さらにユニットボックス３を軸４を中心に矢印Ａ方向へ回動させ、これによりユニットボックス３内に形成された紙幣搬送通路５の形状を明瞭に示したものである。
【００１６】
この、紙幣処理装置１では、ユニットボックス３内に紙幣搬送部６が軸７を中心に回動自在に支承されている。
【００１７】
この紙幣搬送部６は、環状の紙幣搬送シュート８と、この紙幣搬送シュート８の両端部に配設された一対の従動及び駆動プーリ９、１０と、この一対のプーリ９、１０間に巻回された紙幣搬送ベルト１１とから構成されている。
【００１８】
そして、この環状の紙幣搬送シュート８により、フロントマスク１２に形成された後述する紙幣投入口に連通する紙幣搬送通路５に折れ曲り部１３が形成されている。
【００１９】
図２は図１の要部拡大破断面図で、特にユニットボックス３を装置本体２に装着した状態を示している。
【００２０】
フロントマスク１２に形成された紙幣投入口１４に連通する一点鎖線で示す紙幣案内通路５は、措置本体２内に入ると上方に立上がり、その後、折れ曲り部１３で方向を１８０度変換して下方へ向けて延設されている。
【００２１】
一方、この紙幣案内通路５に沿った位置の装置本体２内及びユニットボックス３内には、図１に示す紙幣搬送ベルト１１に圧接する従動ローラ１５が複数個配設されている。
【００２２】
そして、紙幣投入口１４から投入された投入紙幣は紙幣搬送ベルト１１（図１）と従動ローラ１５間に把持され、これにより紙幣案内通路５に沿ってスタッカ１６へ搬送されるように構成されている。
【００２３】
なお、図２で、符号１７は紙幣の投入を検知する紙幣投入検知レバー、１８は紙幣の真偽を判別する従来からある紙幣識別部で、この紙幣識別部１８は磁気センサ１９、発光及び受光素子からなる光りセンサー２０等から構成されている。また符号２１は光りセンサー２０等を支承する基板である。
【００２４】
一方、図１で示すように、この紙幣処理装置１では、紙幣搬送通路５の折れ曲り部１３を形成する環状の紙幣搬送シュート８には、その幅方向に沿って複数個のスリット３０が形成されている。
【００２５】
なお、実施例では、この複数個のスリット３０は光りセンサー２０を避けた位置にそれぞれ形成されている。
【００２６】
このような、紙幣搬送通路５の折れ曲り部１３にスリット３０が形成された紙幣処理装置１によると、図３で示すように、後端にテープ４０を貼着した紙幣４１が紙幣投入口１４内に投入され、かつその紙幣４１が紙幣識別部１８により真券と見なされると、その搬送が一時停止され、図示の如く一時保留状態（エスクロ状態）に至る。
【００２７】
その際（エスクロ状態の際）、紙幣４１の後端に貼着されたテープ４０は、光りセンサー２０を通過しない位置に貼着されているので、当該光りセンサー２０によりテープ４０の存在は検知されていない状態であるが、図１に示すように、折れ曲り部１３に形成された複数のスリット３０は、光りセンサー２０を避けた位置にそれぞれ形成されているので、光りセンサー２０を通過しない位置に貼着された前記テープ４０はスリット３０上に存在することとなる。
【００２８】
この状態から、テープ４０を矢印Ｃ方向へ引っ張ると、図４の斜視図及びその要部拡大断面図で示す図５のように、折れ曲り部１３におけるテープ４０に作用する力により、当該テープ４０はスリット３０内に埋没しその間に挟持されることとなる。
【００２９】
このようにテープ４０がスリット３０内に埋没し挟持されると、挟持されたテープ４０とスリット３０との間に働く摩擦力により、当該テープ４０の引き抜きが防止され、このため紙幣４１の引き抜きも同時に防止されることとなる。
【００３０】
なお、上記実施例ではテープ４０をスリット３０に挟持させ、これによりテープ４０そのものの引き抜きを防止するようにしたが、図２と同一部分を同一符号で示す図６のように、スリット３０が形成され環状の紙幣搬送シュート８内であって、その幅方向（図面垂直方向）に沿い、かつ刃先がスリット３０側へ臨むように刃物部材５０を配設するようにしてもよい。
【００３１】
このように、スリット３０内に刃物部材５０を配設すると、図５と同一部分を同一符号で示す図７のように、テープ４０を矢印Ｃ方向へ引っ張ると、折れ曲り部１３におけるテープ４０に作用する力により、当該テープ４０がスリット３０内に埋没する際に、当該スリット３０内に配設された刃物部材５０の刃先５０ａがテープ４０に当接し、このため当該テープ４０が刃物部材５０により図８のように裁断されることとなる。
【００３２】
このように、投入紙幣４１の後端に貼着されたテープ４０がスリット３０内に配設された刃物部材５０により裁断されると、一時保留（エスクロ）後の投入紙幣４１は、図９で示すように、通常の紙幣収容処理に基づきスタッカ１６内に収容される。
【００３３】
なお、図５のようにスリット３０内に刃物部材５０を配設しない場合は、テープ４０がスリット３０内に挟持された状態を維持し続けるので、投入紙幣４１は紙幣搬送通路路５中で詰まったままとなる。
【００３４】
従って、この場合は通常の紙幣収容処理に基づくスタッカ１６内への紙幣４１の収容は行われず、異常処理として取り扱われるので、その詰まった投入紙幣４１をオペーレータ等が紙幣処理装置１内から取り除かない限り、新たな投入紙幣の投入受入れ拒否状態が継続し、その間の投入紙幣の各種処理が中断されることとなる。
【００３５】
なお、上記各実施例では、複数個のスリット３０を光りセンサー２０を避けた位置にそれぞれ形成するようにしたが、この発明は上記実施例に限定されることなく、複数個のスリット３０を光りセンサー２０と対応する位置、即ち同一ライン上に形成するようにしても良い。
【００３６】
また上記実施例では、スリット３０内に独立部品としての刃物部材５０を配設するようにしたが、この発明は上記実施例に限定されることなく、スリット３０の周縁部を尖らせて、そこに刃物加工を施し、これにより独立部品としての刃物部材５０の使用を排除するようにしても良い。
【００３７】
また、スリット３０の形成場所も、上記実施例に限定されることなく、要は、折れ曲り部を有する紙幣搬送通路の当該折れ曲り部分に相当するシュートに形成すれば良く、その形成場所は実施例に記載された折れ曲り部に限定されることはない。
【００３８】
【発明の効果】
以上説明したように、この発明に係わる紙幣処理装置では、紙幣搬送通路の折れ曲り部にスリットを形成し、このスリット内に紙幣引き抜き用のテープを挟ませてその引き抜きを防止するようにしたから、従来の紙幣処理装置に対して大幅な設計変更等を行うことなく、従来のものに簡単な加工を施すことで紙幣の引き抜きを防止する紙幣処理装置を安価に提供することができる。
【図面の簡単な説明】
【図１】図１はこの発明に係わる紙幣処理装置の概念斜視図。
【図２】図２は図１の要部拡大破断面図。
【図３】図３はこの発明に係わる紙幣処理装置の作用を示す要部拡大破断面図。
【図４】図４はこの発明に係わる紙幣処理装置の作用を示す概念斜視図。
【図５】図５はこの発明に係わる紙幣処理装置の作用を示す要部拡大破断面図。
【図６】図６は他の実施例を示す要部拡大破断面図。
【図７】図７は他の実施例の作用を示す要部拡大破断面図。
【図８】図８は他の実施例の作用を示す要部拡大破断面図。
【図９】図９は他の実施例の作用を示す要部拡大破断面図。
【符号の説明】
１…紙幣処理装置
５…紙幣搬送通路
８…紙幣搬送シュート
１３…折れ曲り部
２０…光りセンサー
３０…スリット
５０…刃物部材
【図１】
2004070647.tif 000003
【図２】
2004070647.tif 000004
【図３】
2004070647.tif 000005
【図４】
2004070647.tif 000006
【図５】
2004070647.tif 000007
【図６】
2004070647.tif 000008
【図７】
2004070647.tif 000009
【図８】
2004070647.tif 000010
【図９】
2004070647.tif 000011
【手続補正書】
【提出日】平成14年8月13日(2002.8.13)
【手続補正１】
【補正対象書類名】図面
【補正対象項目名】全図
【補正方法】変更
【補正の内容】
【図１】
2004070647.tif 000012
【図２】
2004070647.tif 000013
【図３】
2004070647.tif 000014
【図４】
2004070647.tif 000015
【図５】
2004070647.tif 000016
【図６】
2004070647.tif 000017
【図７】
2004070647.tif 000018
【図８】
2004070647.tif 000019
【図９】
2004070647.tif 000020